(57)【要約】【課題】少ない部材で簡単に製造することができ、しかも折りたたみが可能なので極めて携帯が容易となる携帯電話用音声漏洩防止具を提供するを提供する。【解決手段】不織布を素材とし、前面開口部５を有する袋状に形成された本体部２の片側面に、携帯電話機を挿入可能な形状及び大きさの側面開口部４を形成する。本体部２は、一枚の不織布を折り曲げ、前面開口部５を開口させた状態で、二辺の端部６を接着して張り合わせることにより、袋状に形成する。この袋状に形成された本体部２の前面開口部５を、通話者の口元に適合する形に形成し、底部３を、通話者が掌で把持可能な大きさに形成する。【選択図】  図１
2005197846.tif 000002
【特許請求の範囲】
【請求項１】
折りたたみ可能で開口部を有する袋状に形成された本体部を有し、前記袋状の本体部片側面に携帯電話機が挿入可能な大きさの側面開口部が形成され、前記袋状の本体部の底部が掌で把持可能な大きさに形成されたことを特徴とする携帯電話用音声漏洩防止具。
【発明の詳細な説明】
【技術分野】
【０００１】  本発明は、携帯電話機使用時の通話音声が周辺に漏洩することを防止する携帯電話用音声漏洩防止具に関するものである。
【背景技術】
【０００２】  従来、携帯電話機は、携帯性の向上、機能及び操作性の向上を優先して開発が進められ、通話時の音声が周囲に洩れることを防止するための有効な手段がとられていなかった。。【０００３】  このような携帯電話通話時の音声漏洩を防止する手段として、接口部と、その接口部に接続した防音チューブ、及び防音チューブの内部に設置した外付け集音マイクと、防音チューブの後方に接続した内部に吸音材を装着した消音排気部よりなる携帯電話用音声漏洩防止装置が提案されている（特許文献１参照。）。【０００４】
【特許文献１】特開平２０００−３４９８８２号公報
【０００５】  しかしながら、上記従来技術は、携帯電話用音声漏洩防止装置の本体部分の他に、外付けマイク、防音チューブ、消音材等を多数の部材を用いなければならず、製造に多大な工数を要し、また、携帯電話機と共に携帯する際に嵩張ったり、使用時に使い勝手が悪い等の問題があった。
【発明の開示】
【発明が解決しようとする課題】
【０００６】  本発明は、以上のような従来技術の問題点に鑑みてなされたもので、少ない部材で簡単に製造することができ、しかも折りたたみが可能なので極めて携帯が容易となる携帯電話用音声漏洩防止具を提供することを目的とする。
【課題を解決するための手段】
【０００７】  このため本発明は、折りたたみ可能で開口部を有する袋状に形成された本体部を有し、前記袋状の本体部片側面に携帯電話機が挿入可能な大きさの側面開口部が形成され、前記袋状の本体部の底部が掌で把持可能な大きさに形成されたことを主要な特徴とする。
【発明の効果】
【０００８】  本発明に係る携帯電話用音声漏洩防止具によれば、構成部材が少ないので簡単に製造することができ、しかも折りたたみが可能なので極めて携帯が容易となり、また、本体部が掌で把持可能な袋状に形成されおり、しかも、携帯電話機が挿入可能な側面開口部が形成されているため、携帯電話機の挿脱が容易で使い勝手が良いう優れた効果を有する。また、袋状に形成された本体部の開口部を口に当てて通話することにより、携帯電話通話時に音声が周囲へ漏洩するのを防止することができるという優れた効果を有する。
【発明を実施するための最良の形態】
【０００９】  以下、本発明を実施するための最良の形態を図面に示す実施例に基づいて説明する。図１は、本発明に係る携帯電話用音声漏洩防止具の一実施例を示す斜視図である。図２は、図１の平面図である。図３、図４、図５は、図１の使用例を示す説明図である。
【実施例】
【００１０】  図１、図２に示すように、本発明に係る携帯電話用音声漏洩防止具１は、前面開口部５を有する袋状に形成された本体部２の片側面に、携帯電話機を挿入可能な形状及び大きさの側面開口部４が形成されている。本体部２は、一枚の不織布を折り曲げ、前面開口部５を開口させた状態で、二辺の端部６を接着して張り合わせることにより、袋状に形成されている。この袋状に形成する方法は、同形状の二枚の不織布を重ね合わせて、前面開口部となる辺を開口させた状態で、他の辺を張り合わせる方法でもよい。このように、非常に少ない部材で携帯電話用音声漏洩防止具１を形成することができる。また、端部６を張り合わせる方法は、接着以外に、圧着でも融着でも構わない。【００１１】  図２に示すように、この袋状に形成された本体部２の前面開口部５は、通話時に拡げた際に通話者の口元に適合するように、図２に示すように平面視で外側に湾曲した形状に形成され、底部３は、通話者が掌で把持可能な大きさに形成されている。この底部３は、前面開口部５よりも小径に形成されている。また、前面開口部５や側面開口部４の開口部周縁は、補強のために本体部２より厚くしたり、補強部材を取り付けられたりしてもよいが、この際、本体部２が折りたたみ可能な程度に加工する必要がある。【００１２】  また、前面開口部５や側面開口部４の開口部周縁部に、開口部内側に張り出すように、ゴムなどの弾性体で形成された鍔状部材を取り付けても良い。このように形成することで、携帯電話機使用時に、前面開口部５を通話者の口元に当てた際に、前面開口部５に取り付けられた鍔状部材と口元との密着性がよくなり音声の漏洩防止効果が高まり、また、側面開口部４から携帯電話機を挿入した際にも、側面開口部４に取り付けられた鍔状部材と携帯電話機との密着性がよくなり音声の漏洩防止効果が高まる。【００１３】  本体部２を形成している不織布は、紙を不織布に加工された軟質軽量で弾力性のある素材であり、加工性も優れている。このため、本発明にかかる携帯電話用音声漏洩防止具１は、側面開口部４や端部６などを容易に形成することができ、低コストで大量に製造できる。また、不織布は、布、フェルト、中入綿、皮革などで加工されたものでも良い。尚、不織布の代用として、ゴムや合成樹脂で形成された薄膜シート又は薄膜フィルムでもよい。【００１４】  次に、本発明に係る携帯電話用音声漏洩防止具１の使用例について説明する。本発明の携帯電話用音声漏洩防止具１は不織布で形成されているので、図３に示すように、携帯時は折りたたむことができ、衣服のポケットなどに嵩張らずに簡単に収納することができるため、携帯性が非常によい。そして、携帯電話機７を使用する使用する際には、収納したポケットなどから取り出して、図４に示すように、まず、前面開口部５を拡げ、その状態で片手の掌８で底部３を把持する。この際、底部３の上下辺を人指９で押えるようにして把持すれば、前面開口部５が開いた状態を保持することができる。次に、図５に示すように、前面開口部５をマスクを装着するようにして通話者１１の口元１０に当て、もう一方の片手で側面開口部４から携帯電話機７の送話口を本体部２内方に挿入する。この状態で通話すれば、周辺��迷惑を及ぼす程度の音声の漏洩は、防止することができる。このように、本発明に係る携帯電話用音声漏洩防止具１は、携帯性に非常に優れ、携帯電話通話時の音声漏洩を防止することができる。【００１５】  尚、音声の漏洩が周辺に影響する程度、すなわち迷惑を及ぼす程度は、周辺の状況によっても異なる。影響が少ない場合は、前面開口部５を通話者１１の口元１０に当てなくても、多少隙間を空けて口元１０に被せる程度で使用しても良い。
【図面の簡単な説明】
【００１６】
【図１】本発明に係る本発明に係る携帯電話用音声漏洩防止具１の一実施例の斜視図である。
【図２】図２は、図１の平面図である。
【図３】図３は、図１の使用例を示す説明図である。
【図４】図４は、図１の使用例を示す説明図である。
【図５】図５は、図１の使用例を示す説明図である。
【符号の説明】
【００１７】  １    携帯電話用音声漏洩防止具
２    本体部
３    底部
４    側面開口部
５    前面開口部
６    端部
７    携帯電話機
８    掌
９    人指
１０    口元
１１    通話者
【図１】
2005197846.tif 000003
【図２】
2005197846.tif 000004
【図３】
2005197846.tif 000005
【図４】
2005197846.tif 000006
【図５】
2005197846.tif 000007